(57)【要約】【課題】ネットワークを介してＭＩＤＩ形式の楽音情報を端末装置内のメモリにダウンロードするには当然パソコンが必要である。また、記憶媒体にストアされている楽音情報をダウンロードするには、読み取り装置が必要である。このように、インターネット、或いは、記憶媒体を介して楽音情報を端末装置内のメモリにダウンロードするには専用の外部装置を必要とするという問題がある。【解決手段】パソコンなどの外部装置を用いることなく電話機に復調機能を有する電子楽器を接続し、音声情報サービスという既存のインフラを利用して、ＤＴＭＦトーンにより配信元のサーバーにコンテンツ情報の配信を要求することによって、所望のコンテンツ情報等を入手可能となる。【選択図】      図４
2004343464.tif 000002
【特許請求の範囲】
【請求項１】
電話回線に接続され、夫々異なる内容のコンテンツ情報により変調された音声信号を複数種配信可能であるサーバーを電話機により呼び出し、
当該呼び出されたサーバーに対して電話機からのＤＴＭＦトーンにより所望のコンテンツ情報を指定要求し、
前記サーバーは当該指定要求されたコンテンツ情報により変調された音声信号を電話回線を介して前記電話機に送信し、
前記電話機に接続された端末装置により当該受信された当該音声信号からコンテンツ情報を復調して取り出しメモリに記憶するコンテンツ配信方法。
【請求項２】
前記サーバーは、前記電話機からのＤＴＭＦトーンを受信すると、所定情報により変調された音声信号からなるテスト信号を送信し、
前記電話機に接続された端末装置は、このテスト信号から当該所定の情報を復調して取り出せるか否かを判定し、その判定結果を電話機を介して前記サーバーに送信し、
前記サーバーはこの判定結果に基づいて当該指定要求されたコンテンツ情報により変調された音声信号を送信するか否かを決定する請求項１記載のコンテンツ配信方法。
【請求項３】
前記サーバーは、前記端末装置の判定結果が取り出し可能と判定した場合のみ、この電話機宛てに当該指定要求されたコンテンツ情報により変調された音声信号を送信し、取り出し不可と判定した場合は音声信号の送信を中止する、或いは、当該変調を変更して再テストする、という何れかのメセージを送信する請求項２記載のコンテンツ配信方法。
【発明の詳細な説明】
【０００１】
【発明の属する技術分野】
この発明は、コンテンツ情報を電話回線を介して配信する方法に関する。
【０００２】
【従来の技術】
インターネットを利用して所望のコンテンツ情報を入手する方法が一般に普及されてきており、例えば演奏に関わる楽音、音声などのコンテンツ情報をサーバーからインターネットを介して供給を受け、このコンテンツ情報をダウンロードすればいつでも自由に再生して楽しめるというシステムがある（例えば、特開平１０−３１９９５０号）。
【０００３】
【特許文献１】
特開平１０−３１９９５０号（第１頁−第１１頁、図１）
【０００４】
【発明が解決しようとする課題】
【０００５】
ネットワークを介して電子楽器の演奏に関わるコンテンツ情報をダウンロードするには、例えば、通信機能を有するパソコンを準備し、このパソコンと電子楽器を接続する必要がある。
本発明は、上述の如き従来の課題を解決するためになされたものであり、その目的は、電話などの音声情報サービスという既存のインフラを利用して、パソコンなど他の機器を用いることなく端末装置、或いは通信機能を有する機器と電話機を接続するだけで所望のコンテンツ情報を配信元のサーバーから入手可能とするものである。
【０００６】
【課題を解決するための手段】
この発明の解決の手段は以下のとおりである。
上記目的を達成するために、請求項１に係る発明は、サーバーは電話回線を介して電話機に接続され、この電話機の呼び出しに応じて夫々異なる内容のコンテンツ情報により変調された音声信号を複数種配信可能な構成を有し、電話機は当該呼び出したサーバーに対してＤＴＭＦ（Ｄｕａｌ  Ｔｏｎｅ  Ｍｕｌｔｉ  Ｆｒｅｑｕｅｎｃｙ）トーンにより所望のコンテンツ情報を指定要求する構成を有し、前記サーバーは当該指定要求されたコンテンツ情報により変調された音声信号を電話回線を介して前記電話機に送信する。
そして、前記電話機に接続された端末装置は、当該受信された音声信号からコンテンツ情報を復調すると、この復調して取り出した音声信号をメモリに記憶することを特徴とする。
請求項２に係わる発明において、前記サーバーは、前記電話機からＤＴＭＦトーンを受信すると所定情報により変調された音声信号からなるテスト信号を送信し、前記電話機に接続された端末装置は、このテスト信号から当該所定の情報を復調して取り出せるか否かを判定すると、この判定結果を電話機を介して前記サーバーに送信する。
このサーバーは、この判定結果に基づいて当該指定要求されたコンテンツ情報により変調された音声信号を送信するか否かを決定するようにしてもよい。
請求項３に係わる発明において、前記サーバーは、前記端末装置の判定結果が取り出し可能と判定した場合のみ、この電話機宛てに当該指定要求されたコンテンツ情報により変調された音声信号を送信し、取り出し不可と判定した場合は音声信号の送信を中止する、或いは、当該変調を変更して再テストする、という何れかのメセージを送信してもよい。
【０００７】
本発明は、コンテンツ情報の配信により、端末装置に電話機を接続するだけで特にパソコンなど通信機能を有する機器を用いることなく、所望のコンテンツ情報を入手することが可能となる。
【０００８】
【発明の実施の形態】
本発明の端末装置は、例えば電子楽器であり図１はその構成例を示すブロック図である。
本実施形態において、電子楽器内のスイッチ群１０１は電源スイッチ、各種機能選択スイッチ、鍵盤などの複数の演奏操作子から成る。
表示装置１０２は、機能選択スイッチで選択された自動演奏の曲情報、或いは配信されたコンテンツ情報の内容を表示する。
【０００９】
記憶装置１０３は、定められた手順に従い各種機能の処理を実行するためのプログラム、各種データ、自動演奏などの複数の曲情報、及び、電話回線網２０２を介してコンテンツ情報配信サーバー２０１からダウンロードされた楽音情報などのコンテンツ情報を記憶する。
発音装置１０４は、音源、増幅器、スピーカなどから成り、スイッチ群１０１内の演奏操作子の演奏操作に伴って生成される楽音情報、或いは、記憶装置１０３から読み出された楽音情報などのコンテンツ情報等に基づいて、音源によって楽音を生成し、これを増幅してスピーカーより発音する。
【００１０】
Ａ／Ｄコンバータ１０６は、コンテンツ情報配信サーバー装置２０１から送信されるアナログ形式のコンテンツ情報をディジタル形式のデータに変換しバスライン１１０を介してＣＰＵ１０５に伝達する。
【００１１】
ＣＰＵ１０５は、復調機能を有しＡ／Ｄコンバータ１０６によってディジタル形式に変換されたコンテンツ情報を、振幅変調、周波数変調、位相変調、或いはこれらの組合わせによる変調方式の何れかの信号に復調する。
また、ＣＰＵ１０５は、この復調したデータが正しく復調されたか否かをチェックするチェックサム機能を有している。
更に、ＣＰＵ１０５は、コンテンツ情報配信サーバー装置２０１に対する、後述の「受信テスト結果終了ＤＴＭＦ」、「再送パケット番号ＤＴＭＦ」、或いは「完了ＤＴＭＦ」など、ディジタル形式の送信データを生成する。
【００１２】
Ｄ／Ａコンバータ１０７は、ＣＰＵ１０５によって生成されたディジタル形式の送信データ「受信テスト結果終了ＤＴＭＦ」、「再送パケット番号ＤＴＭＦ」、或いは「完了ＤＴＭＦ」をアナログの信号に変換して出力端子１０９を介して電話機２０３へ送出する。
【００１３】
図２は、第１の実施形態のネットワークである。
ユーザー側の端末装置である電子楽器２０４は、電話機２０３に接続され電話回線網２０２を介してコンテンツ情報配信サーバー２０１に繋がれている。
【００１４】
図３は、コンテンツ情報配信サーバー２０１の構成を示す。
コンテンツ情報配信サーバー２０１は、データファイル群３０１、音声ＣＯＤＥＣ（Ｃｏｍｐｒｅｓｓｉｏｎ  ／Ｄｅｃｏｍｐｒｅｓｓｉｏｎ）３０２、及び、ＤＴＭＦトーン受信部３０３、から構成されている。
データファイル群３０１内には、アナログ形式の音声化された楽音情報などコンテンツ情報等がストアされている。
音声ＣＯＤＥＣ３０２は、データファイル群３０１の中から、ユーザーから配信要求されたコンテンツ情報を選択して所定方式でこの音声データを圧縮し、電話回線網２０２を介して電話機２０３宛てに送信する。
ＤＴＭＦトーン受信部３０３は、ユーザーの電話機２０３から電話回線網２０２を介して受信されたＤＴＭＦトーン信号を解析する。
【００１５】
このＤＴＭＦトーンは、プッシュボタンの各番号に割り当てられた低周波と高周波の２種類から成るＳＩＮ波の組み合わせによって送信される音声データである。
本実施形態の場合、ユーザーが電話機２０３のプッシュボタンを複数回押したときに、最初に押されたプッシュボタンに相当するＤＴＭＦトーンのデータが「０」の場合は、識別コードを示すファイル番号通知であり、これに続く４回の押圧操作で４つのＤＴＭＦトーンが送信され、これは４桁の「ファイル番号」を表わす。
【００１６】
また、最初に押されたプッシュボタンに相当するＤＴＭＦトーンが「１」の場合は、配信されたコンテンツ情報が正しく受信できないときに電子楽器２０４がコンテンツ情報配信サーバー２０１宛てに「再送信要求」するときの通知番号である。
これに続く４回の押圧操作で４つのＤＴＭＦトーンが送信され、これは再送信要求の「パケット番号」を表わしている。
【００１７】
また、最初に押されるプッシュボタンに相当するＤＴＭＦトーンが「２」の場合は、電子楽器２０４がコンテンツ情報配信サーバー２０１宛てにＤＴＭＦトーンの受信を完了したときに送信する「受信完了」通知番号である。
【００１８】
図４は、コンテンツ情報配信サーバー２０１と、コンテンツ情報の配信を要求するユーザーの電話機２０３と、この電話機２０３に接続される端末装置である電子楽器２０４と、の通信のシーケンスチャートを示す。
先ず、電話機２０３よりコンテンツ情報配信サーバー２０１を呼び出すと、コンテンツ情報配信サーバー２０１は、データファイル群３０１内から所定の音声ガイダンスのデータを抽出して電話機２０３宛てに送信する。
【００１９】
ユーザーは、コンテンツ情報配信サーバー２０１から送信された音声ガイダンスを聞き取り、この音声ガイダンスに従って所望の曲情報などのコンテンツ情報の配信要求の内容に応じて電話機２０３のプッシュボタンを押す。
このとき、例えば、最初に「０」を押しから以下４桁のファイル番号が押されると、電話機２０３は、これに対応するＤＴＭＦトーンを生成して電話回線網２０２を介してコンテンツ情報配信サーバー２０１へ送信する。
【００２０】
コンテンツ情報配信サーバー２０１は、電話機２０３から送信されてきたＤＴＭＦトーンの識別コードを解析する。
この識別コードが「０」であれば、これに続くＤＴＭＦトーンのエラーチェックを行ない、エラーがなければＤＴＭＦトーンの４桁のファイル番号が示す配信要求に対応するコンテンツ情報がデータファイル群３０１内にストアされているか否かを確認する。
【００２１】
そして、コンテンツ情報配信サーバー２０１は、所定情報によって変調された音声信号からなるテスト信号を電話機２０３宛てに送信する。
【００２２】
電話機２０３は、このテスト信号を受信すると、このテスト信号を電子楽器２０４に伝達する。
このテスト信号を受けた電子楽器２０４は、Ａ／Ｄコンバータ１０６によってディジタルの信号に変換する。
ＣＰＵ１０５は、このディジタルの信号に変換されたテスト信号を所定の復調方式で復調する。
次に、ＣＰＵ１０５は、このテスト信号が正しく復調されたか否かを判定するとともにこの判定結果の情報を生成する。
【００２３】
そして、ＣＰＵ１０５は、このテスト信号の復調結果の情報を変調する。
この受信テストの判定結果の情報は、Ｄ／Ａコンバータ１０７によってアナログの音声信号に変換されてから、電話回線網２０２を介してコンテンツ情報配信サーバー２０１宛てに送信される。
【００２４】
コンテンツ情報配信サーバー２０１は、受信テストの判定結果が「復調不可」であれば、配信要求に応えられないのでコンテンツ情報に関わる音声信号の送信は中止する。
一方、この受信テストの判定結果が「復調可能」であれば、配信要求された内容のコンテンツ情報をデータファイル群３０１の中から検索して読み出し、このコンテンツ情報の音声データを夫々所定データ容量からなるデータパケット（１）〜（ｎ）に分割する。
そして、このデータパケット（１）〜（ｎ）を順次、電話機２０３宛てに送信する。
【００２５】
このデータパケット（１）〜（ｎ）には、夫々チェックサム等の誤り検出符号が挿入されている。
電子楽器２０４内のＣＰＵ１０５は、データパケット内に含まれるチェックサムに基づいて、このデータパケット内の音声データが正しく受信されたか否かをチェックする。
電子楽器２０４内のＣＰＵ１０５は、この配信されてきたデータパケットのコンテンツ情報である音声データが正しく受信されたことを確認すると、このデータパケットの音声データを復調して記憶装置１０３に書き込み処理する。
一方、データパケットが正しく復調できていないことを確認すると、再送信要求のためＤＴＭＦトーンの１桁目を「０」とするとともに、これに続いて当該再送信要求のパケット番号を表わす４桁のＤＴＭＦトーンをコンテンツ情報配信サーバー２０１に向けて発信する。
【００２６】
コンテンツ情報配信サーバー２０１は、再送信要求のＤＴＭＦトーンを受信すると、当該パケット番号のデータパケットをデータファイル群３０１から再び読み出して電話機２０３宛てに再送信する。
【００２７】
電子楽器２０４は、全てのデータパケット（１）〜（ｎ）を受信完了すると、ＤＴＭＦトーンの１桁目を「２」として「コンテンツ情報を受信完了」旨のデータをコンテンツ情報配信サーバー２０１宛てに送信する。
【００２８】
本実施形態において、データファイル群３０１内にストアされているコンテンツ情報は１単位時間あたり上位２ビット、下位２ビット、の組合わせから成る４ビットのデータ構成となっている。
【００２９】
図５と図６は、コンテンツ情報配信サーバー２０１から電話回線網２０２を介して電話機２０３に送信されるコンテンツ情報を形成する音声データの波形例を示す。
このコンテンツ情報の上位２ビットは、図５に示すように振幅レベル値を表わし、下位２ビットは図６に示すように周波数値を表わす。
【００３０】
図５に示す音声波形５０１は、コンテンツ情報の元データとなるＭＩＤＩ（Ｍｕｓｉｃａｌ  Ｉｎｓｔｒｕｍｅｎｔ  Ｄｉｇｉｔａｌ  Ｉｎｔｅｒｆａｃｅ）などのディジタル形式のデータを、振幅レベルを４段階に分けて、４ｂｉｔの語長のうち上位２ｂｉｔに割り当てて、アナログ形式の音声波形に振幅変調したものを図示したものである。
【００３１】
図５中、波形領域レベル５０６の振幅は上位２ｂｉｔ「００」を示し、波形領域レベル５０７の振幅は上位２ｂｉｔ「０１」を示し、波形領域レベル５０８の振幅は上位２ｂｉｔ「１０」を示し、波形領域レベル５０９の振幅は上位２ｂｉｔ「１１」を示す。
【００３２】
次に、図６に示す音声波形６０１は、ディジタル形式のコンテンツ情報を、４段階の周波数に分け、これを４ｂｉｔの語長のうち下位２ｂｉｔに割り当てて、アナログ形式の音声波形に周波数変調したものを図示したものである。
図６中、波形領域６０６の周波数は下位２ｂｉｔ「００」を示し、波形領域６０７の周波数は下位２ｂｉｔ「０１」を示し、波形領域６０８の周波数は下位２ｂｉｔ「１０」を示し、波形領域６０９の周波数は下位２ｂｉｔ「１１」を示す。
【００３３】
図７は、データファイル群３０１内にストアされるコンテンツ情報を楽譜の形態で示した実施例である。
この楽譜は、１２小節からなりその内、第１小節、第２小節、第４小節、第５小節、第６小節、第８小節、第１１小節、第１２小節、は夫々同じフレーズであり、第３小節と第７小節は同じフレーズ、及び、第９小節と第１０小節においても夫々同じフレーズとなっている。
【００３４】
表１は、図７に示す楽譜をデータ列で示す。
【表  １】
2004343464.tif 000003
【００３５】
表２は、図７の楽譜中に重複して存在する同一のフレーズ、若しくは一部分の楽音を除いてほぼ共通する楽音構成部分は繰り返し情報に置き換えて、楽音情報の情報量を圧縮するためのデータ形式で示すものである。
【表  ２】
2004343464.tif 000004
【００３６】
表２に示す実施形態は、楽譜内の小節、或いは、拍毎に同じフレーズが繰り返される部分の冗長が圧縮され、データファイル群３０１内にストアされるコンテンツ情報のメモリ容量を軽減化するとともに、配信時間の短縮化を可能とするものである。
【００３７】
上述のように、本実施形態では端末装置として電子楽器２０４を接続してコンテンツ情報を受信するようにしていたが、端末装置は電子楽器２０４に限定されることなく、例えば、オーディオ装置、カラオケ装置、電子玩具、ゲーム機器など、通信機器を有する機器であれば用途に関わらずどのような機器でもよい。
【００３８】
また、本実施形態ではコンテンツ情報配信サーバー２０１より楽音情報に関わるコンテンツ情報を配信するようにしたが、コンテンツ情報はこれに限定されることなく、例えば、数字・文字・記号情報、或いは、映像・視覚情報など、楽音・聴覚情報以外のコンテンツ情報を配信するようにしてもよい。
【００３９】
更に、ユーザーの端末装置に、配信されたテスト信号に含まれる音声データの波形の減衰、ひずみ、遅延、特性などをチェックする構成と、受信した音声信号を正常な特性に補正する構成とを設けて、コンテンツ情報配信サーバー２０１に対して再送信要求しなくて済むような構成にしてもよい。
【００４０】
また、本実施形態では配信される音声データを振幅変調と周波数変調を組合わせたが、変調方式の組合わせとして位相変調等他の変調方式と組合わせてもよい。
また、音声データの語長の割り当てについては特に限定することなく、ｂｉｔ構成を変えたりｂｉｔ数を増減してもよい。
【００４１】
また、コンテンツ情報配信サーバー２０１は、受信テストの際にユーザー側の端末装置が正しくテスト信号を受信できない場合は、「変調方式を変更して再テストする」、という旨のメセージを電話機２０３宛てに送信してから、改めて再テストするようにしてもよい。
【００４２】
【発明の効果】
電話などの音声情報サービスという既存のインフラを利用して、パソコンなど他の機器を用いることなく端末装置、或いは通信機能を有する機器に電話機を接続するだけで所望のコンテンツ情報を配信元のサーバーから入手可能とするものである。
【図面の簡単な説明】
【図１】電子楽器の構成図を示す。
【図２】ネットワーク構成を示す。
【図３】コンテンツ情報配信サーバーの構成図を示す。
【図４】通信のシーケンスチャートを示す。
【図５】振幅変調された音声波形を示す。
【図６】周波数変調された音声波形を示す。
【図７】楽譜の例を示す。
【符号の説明】
２０１  コンテンツ情報配信サーバー
２０２  電話回線網
２０３  電話機
２０４  電子楽器
【図１】
2004343464.tif 000005
【図２】
2004343464.tif 000006
【図３】
2004343464.tif 000007
【図４】
2004343464.tif 000008
【図５】
2004343464.tif 000009
【図６】
2004343464.tif 000010
【図７】
2004343464.tif 000011